(57)【要約】【課題】電池の誤挿入による不具合の発生を確実に抑制することが可能な電子機器を提供する。【解決手段】この電子機器（ビデオカメラ１）は、電池３０と電池３１とを収納する電池収納部９の電池蓋１０と、電池３０と電池３１とを接続するとともに、電池蓋１０に取り付けられる１つの電池切片１２と、電池蓋１０を開閉するように回動させるための金属性の軸部１３と、軸部１３に電気的に接続され、電位を計測することが可能な電位計測部１７と、電池蓋１０に設けられ、電池３０または電池３１の少なくとも一方の誤挿入を防止するように配置された台座１０ｂまたはリブ１０ｃとを備え、電池切片１２は、電池蓋１０を閉じた際に、軸部１３に当接されるように構成されている。【選択図】図８
2008269966.tif 000002
【特許請求の範囲】
【請求項１】
第１の電池と第２の電池とを収納する電池収納部の電池蓋と、前記第１の電池と前記第２の電池とを接続するとともに、前記電池蓋に取り付けられる１つの電池切片と、電位を計測することが可能な電位計測手段とを備えた電子機器において、
前記電池蓋を開閉するように回動させるための金属性の軸部と、
前記電池蓋に設けられ、前記第１の電池および前記第２の電池の少なくとも一方の誤挿入を防止するように配置された誤挿入防止部材と、
前記軸部の両端を支持する金属性の軸受部とをさらに備え、
前記電池切片は、Ｌ字形状のフック部を一体的に含み、前記電池蓋から離間する方向に付勢するように形成され、前記電池蓋を閉じた際に前記第１の電池により前記付勢方向に抗して押圧されることによって、前記フック部が前記軸部に当接されるように構成されるとともに、前記第１の電池のプラス端子よりも大きく、かつ、マイナス端子よりも小さい大きさの開口部を有し、
前記電位計測手段は、前記軸受部を介して前記軸部に電気的に接続され、
前記誤挿入防止部材は、前記電池蓋に取り付けられた前記電池切片の高さよりも高くなるように形成される第１誤挿入防止部と、前記電池蓋に取り付けられた前記電池切片の高さよりも低くなるように前記開口部に形成された第２誤挿入防止部とを含み、
前記第２誤挿入防止部は、前記第１の電池の前記プラス端子が当接した場合は、前記第１の電池が前記電池切片に当接しないように構成されている、電子機器。
【請求項２】
第１の電池と第２の電池とを収納する電池収納部の電池蓋と、
前記第１の電池と前記第２の電池とを接続するとともに、前記電池蓋に取り付けられる１つの電池切片と、
前記電池蓋を開閉するように回動させるための金属性の軸部と、
前記軸部に電気的に接続され、電位を計測することが可能な電位計測手段と、
前記電池蓋に設けられ、前記第１の電池および前記第２の電池の少なくとも一方の誤挿入を防止するように配置された誤挿入防止部材とを備え、
前記電池切片は、前記電池蓋を閉じた際に、前記軸部に当接されるように構成されている、電子機器。
【請求項３】
前記軸部の両端を支持する金属性の軸受部をさらに備え、
前記電位計測手段は、前記軸受部を介して前記軸部に電気的に接続されている、請求項２に記載の電子機器。
【請求項４】
前記電池切片は、Ｌ字形状のフック部を一体的に含むとともに、前記電池蓋を閉じた際に、前記フック部が前記軸部に当接されるように構成されている、請求項２または３に記載の電子機器。
【請求項５】
前記電池切片は、前記電池蓋から離間する方向に付勢するように形成されるとともに、前記第１の電池により前記付勢方向に抗して押圧されることによって、前記軸部に当接されるように構成されている、請求項２〜４のいずれか１項に記載の電子機器。
【請求項６】
前記誤挿入防止部材は、前記電池蓋に取り付けられた前記電池切片の高さよりも高くなるように形成される第１誤挿入防止部を含む、請求項２〜５のいずれか１項に記載の電子機器。
【請求項７】
前記電池切片は、前記第１の電池のプラス端子よりも大きく、かつ、マイナス端子よりも小さい大きさの開口部を有し、
前記誤挿入防止部材は、前記電池蓋に取り付けられた前記電池切片の高さよりも低くなるように前記開口部に形成された第２誤挿入防止部を含み、
前記第２誤挿入防止部は、前記第１の電池のプラス端子が当接した場合は、前記第１の電池が前記電池切片に当接しないように構成されている、請求項２〜６のいずれか１項に記載の電子機器。
【発明の詳細な説明】
【技術分野】
【０００１】
この発明は、電子機器に関し、特に、２つの電池を収納する電池収納部の電池蓋と、２つの電池を接続するとともに、電池蓋に取り付けられる１つの電池切片と、電位を計測することが可能な電位計測手段とを備えた電子機器に関する。
【背景技術】
【０００２】
従来、２つの電池を収納する電池収納部の電池蓋と、２つの電池を接続するとともに、電池蓋に取り付けられる１つの電池切片と、電位を計測することが可能な電位計測手段とを備えた電子機器が知られている（たとえば、特許文献１参照）。
【０００３】
上記特許文献１には、２つの電池が収納される電池収納部の電池蓋と、２つの電池を接続するとともに、電池蓋に取り付けられる端子板（電池切片）と、電圧を計測する電圧検出部（電位計測手段）と、電圧検出部に接続される電圧検出部材とを備えた記録再生装置（電子機器）が開示されている。この特許文献１による記録再生装置では、電池蓋を閉じた際に、電池蓋に取り付けられた端子板の一部を電圧検出部材に当接させて、２つの電池それぞれの電圧を検出することが可能なように構成されている。これによって、電池の誤挿入（逆挿入）を電気的にチェックすることが可能である。なお、この記録再生装置には、電池収納部に誤った方向に電池が誤挿入されるのを防止する手段は設けられていない。
【０００４】
【特許文献１】特開２００１−１１１２５４号公報
【発明の開示】
【発明が解決しようとする課題】
【０００５】
しかしながら、上記特許文献１に記載の記録再生装置では、２つの電池それぞれの電圧を検出することによって、電池の誤挿入（逆挿入）を電気的にチェックすることが可能である一方で、電池収納部に誤った方向に電池が誤挿入されるのを防止することができないので、電池の誤挿入による不具合の発生を確実に抑制することができないという問題点がある。
【０００６】
この発明は、上記のような課題を解決するためになされたものであり、この発明の１つの目的は、電池の誤挿入による不具合の発生を確実に抑制することが可能な電子機器を提供することである。
【課題を解決するための手段および発明の効果】
【０００７】
この発明の第１の局面による電子機器は、第１の電池と第２の電池とを収納する電池収納部の電池蓋と、第１の電池と第２の電池とを接続するとともに、電池蓋に取り付けられる１つの電池切片と、電位を計測することが可能な電位計測手段とを備えた電子機器において、電池蓋を開閉するように回動させるための金属性の軸部と、電池蓋に設けられ、第１の電池および第２の電池の少なくとも一方の誤挿入を防止するように配置された誤挿入防止部材と、軸部の両端を支持する金属性の軸受部とをさらに備えている。また、電池切片は、Ｌ字形状のフック部を一体的に含み、電池蓋から離間する方向に付勢するように形成され、電池蓋を閉じた際に第１の電池により付勢方向に抗して押圧されることによって、フック部が軸部に当接されるように構成されるとともに、第１の電池のプラス端子よりも大きく、かつ、マイナス端子よりも小さい大きさの開口部を有し、電位計測手段は、軸受部を介して軸部に電気的に接続されている。また、誤挿入防止部材は、電池蓋に取り付けられた電池切片の高さよりも高くなるように形成される第１誤挿入防止部と、電池蓋に取り付けられた電池切片の高さよりも低くなるように開口部に形成された第２誤挿入防止部とを含み、第２誤挿入防止部は、第１の電池のプラス端子が当接した場合は、第１の電池が電池切片に当接しないように構成されている。
【０００８】
この第１の局面による電子機器では、上記のように、電池蓋に、第１の電池および第２の電池の少なくとも一方の誤挿入を防止するように配置された誤挿入防止部材を設けることによって、電池収納部に誤った方向に電池が誤挿入されるのを防止することができる。また、第１の電池と第２の電池とを接続する電池切片を、電池蓋を閉じた際に、軸部に当接されるように構成し、電位計測手段を、軸部に電気的に接続することによって、電池蓋を閉じた際に、電池切片と電位計測手段とを軸部を介して電気的に接続することができるので、２つの電池の間の電位（中間電位）を計測することができ、その結果、２つの電池それぞれの電圧を検出することができる。すなわち、この第１の局面による電子機器では、電池収納部に誤った方向に電池が誤挿入されるのを防止するとともに、２つの電池それぞれの電圧を検出することによって、電池の誤挿入をチェックすることができるので、電池の誤挿入による不具合の発生を確実に抑制することができる。
【０００９】
また、第１の局面による電子機器では、軸部の両端を支持する金属性の軸受部をさらに設け、電位計測手段を、軸受部を介して軸部に電気的に接続することによって、軸部は、両端の２点を軸受部に電気的に接続されるので、電池蓋を閉じた際に、軸部と軸受部とを介して、確実に電池切片と電位計測手段とを電気的に接続することができる。また、電池切片を、Ｌ字形状のフック部を一体的に含むとともに、電池蓋を閉じた際に、フック部が軸部に当接されるように構成することによって、フック部をＬ字形状によって確実に軸部に当接することができるので、電池蓋を閉じた際に、軸部を介して、より確実に電池切片と電位計測手段とを電気的に接続することができる。また、電池切片を、電池蓋から離間する方向に付勢するように形成するとともに、第１の電池により付勢方向に抗して押圧されることにより軸部に当接されるように構成することによって、不勢力を利用して、確実に電池切片を電池に当接させることができるとともに、その押圧力によって確実に電池切片を軸部に当接させることができる。また、誤挿入防止部材を、電池蓋に取り付けられた電池切片の高さよりも高くなるように形成される第１誤挿入防止部を含むように構成することによって、電池のマイナス端子を第１誤挿入防止部に当接させて、電池切片に当接されないようにすることができる。これにより、電池のプラス端子を挿入すべき部分に電池のマイナス端子が誤挿入されるのを防止することができる。また、電池切片を、第１の電池のプラス端子よりも大きく、かつ、マイナス端子よりも小さい大きさの開口部を有するように構成し、誤挿入防止部材を、電池蓋に取り付けられた電池切片の高さよりも低くなるように開口部に形成された第２誤挿入防止部を含むように構成するとともに、第２誤挿入防止部を、第１の電池のプラス端子が当接された場合は、第１の電池が電池切片に当接しないように構成することによって、電池のマイナス端子のみを電池切片に当接させることができるので、電池のマイナス端子を挿入すべき部分に電池のプラス端子が誤挿入されるのを防止することができる。
【００１０】
この発明の第２の局面による電子機器は、第１の電池と第２の電池とを収納する電池収納部の電池蓋と、第１の電池と第２の電池とを接続するとともに、電池蓋に取り付けられる１つの電池切片と、電池蓋を開閉するように回動させるための金属性の軸部と、軸部に電気的に接続され、電位を計測することが可能な電位計測手段と、電池蓋に設けられ、第１の電池および第２の電池の少なくとも一方の誤挿入を防止するように配置された誤挿入防止部材とを備え、電池切片は、電池蓋を閉じた際に、軸部に当接されるように構成されている。
【００１１】
この第２の局面による電子機器では、上記のように、電池蓋に、第１の電池および第２の電池の少なくとも一方の誤挿入を防止するように配置された誤挿入防止部材を設けることによって、電池収納部に誤った方向に電池が誤挿入されるのを防止することができる。また、第１の電池と第２の電池とを接続する電池切片を、電池蓋を閉じた際に、軸部に当接されるように構成し、電位計測手段を、軸部に電気的に接続することによって、電池蓋を閉じた際に、電池切片と電位計測手段とを軸部を介して電気的に接続することができるので、２つの電池の間の電位（中間電位）を計測することができ、その結果、２つの電池それぞれの電圧を検出することができる。すなわち、この第２の局面による電子機器では、電池収納部に誤った方向に電池が誤挿入されるのを防止するとともに、２つの電池それぞれの電圧を検出することによって、電池の誤挿入をチェックすることができるので、電池の誤挿入による不具合の発生を確実に抑制することができる。
【００１２】
上記第２の局面による電子機器において、好ましくは、軸部の両端を支持する金属性の軸受部をさらに備え、電位計測手段は、軸受部を介して軸部に電気的に接続されている。このように構成すれば、軸部は、両端の２点を軸受部に電気的に接続されるので、電池蓋を閉じた際に、軸部と軸受部とを介して、確実に電池切片と電位計測手段とを電気的に接続することができる。
【００１３】
上記第２の局面による電子機器において、好ましくは、電池切片は、Ｌ字形状のフック部を一体的に含むとともに、電池蓋を閉じた際に、フック部が軸部に当接されるように構成されている。このように構成すれば、フック部をＬ字形状によって確実に軸部に当接することができるので、電池蓋を閉じた際に、軸部を介して、より確実に電池切片と電位計測手段とを電気的に接続することができる。
【００１４】
上記第２の局面による電子機器において、好ましくは、電池切片は、電池蓋から離間する方向に付勢するように形成されるとともに、第１の電池により付勢方向に抗して押圧されることによって、軸部に当接されるように構成されている。このように構成すれば、不勢力を利用して、確実に電池切片を電池に当接させることができるとともに、その押圧力によって確実に電池切片を軸部に当接させることができる。
【００１５】
上記第２の局面による電子機器において、好ましくは、誤挿入防止部材は、電池蓋に取り付けられた電池切片の高さよりも高くなるように形成される第１誤挿入防止部を含んでいる。このように構成すれば、電池のマイナス端子を第１誤挿入防止部に当接させて、電池切片に当接されないようにすることができる。これにより、電池のプラス端子を挿入すべき部分に電池のマイナス端子が誤挿入されるのを防止することができる。
【００１６】
上記第２の局面による電子機器において、好ましくは、電池切片は、第１の電池のプラス端子よりも大きく、かつ、マイナス端子よりも小さい大きさの開口部を有し、誤挿入防止部材は、電池蓋に取り付けられた電池切片の高さよりも低くなるように開口部に形成された第２誤挿入防止部を含み、第２誤挿入防止部は、第１の電池のプラス端子が当接された場合は、第１の電池が電池切片に当接しないように構成されている。このように構成すれば、電池のマイナス端子のみを電池切片に当接させることができるので、電池のマイナス端子を挿入すべき部分に電池のプラス端子が誤挿入されるのを防止することができる。
【発明を実施するための最良の形態】
【００１７】
以下、本発明を具体化した実施形態を図面に基づいて説明する。
【００１８】
図１および図２は、本発明の一実施形態によるビデオカメラの全体構成を示す斜視図である。また、図３〜図１２は、図１に示した本発明の一実施形態によるビデオカメラの構成を説明するための図である。図１〜図１２を参照して、本発明の一実施形態によるビデオカメラ１の構成について説明する。なお、ビデオカメラ１は、本発明の「電子機器」の一例である。
【００１９】
本発明の一実施形態によるビデオカメラ１は、図１および図２に示すように、レンズ部２（図１参照）と、ファインダ３（図２参照）と、フラッシュ４（図１参照）と、液晶表示画面５（図２参照）と、左右上下方向ボタンからなる操作ボタン６（図２参照）と、電源ボタン７と、撮影ボタン８とを備えている。
【００２０】
また、レンズ部２は、ビデオカメラ１の装置本体の内部に複数のレンズを含み、これらのレンズが装置本体の内部で移動することにより被写体のズーム撮影が可能なように構成されている。また、ファインダ３は、ユーザがファインダ３を介して被写体を見ながら、撮影範囲を決定することが可能なように構成されている。また、フラッシュ４は、静止画の撮影時に発光する機能を有している。また、液晶表示画面５は、撮影時には、被写体を表示するとともに、撮影後には、撮影された被写体を表示することが可能なように構成されている。また、操作ボタン６は、液晶表示画面５に表示される画像の再生操作や、各種撮影モードの設定操作などを行うために設けられている。また、撮影ボタン８は、押圧されることによって、図示しない撮影機能の動作が開始され、または、停止されるように構成されている。
【００２１】
ここで、本実施形態では、図２に示すように、ビデオカメラ１は、２本の電池３０および電池３１（図８参照）を収納する電池収納部９と、電池収納部９を閉塞するための電池蓋１０と、装置本体の骨格を形成するシャーシ１１（図８参照）とをさらに備えている。なお、電池３０は、本発明の「第１の電池」の一例であり、電池３１は、本発明の「第２の電池」の一例である。
【００２２】
また、図３および図４に示すように、ビデオカメラ１は、電池３０と電池３１（図８参照）とを直列的に接続するための電池切片１２と、電池蓋１０を開閉するように回動させるための金属性の軸部１３と、軸部１３の両端を支持する金属性の軸受部１４と、Ａ／Ｄコンバータ１５と、装置本体全体を制御する制御部１６と、電位を計測することが可能な電位計測部１７とがさらに備えられている。また、Ａ／Ｄコンバータ１５、制御部１６および電位計測部１７は、それぞれプリント基板１８（Ｐｒｉｎｔｅｄ  Ｃｉｒｃｕｉｔ  ｂｏａｒｄ、以下ＰＣＢ）に設置されている。なお、電位計測部１７は、本発明の「電位計測手段」の一例である。
【００２３】
また、電池蓋１０は、軸部１３が挿入される細長状に形成された開口部１０ａを有している。これにより、図５および図６に示すように、電池蓋１０は、矢印Ａおよび矢印Ｂ方向にスライドされるとともに、矢印Ｇ方向に軸部１３を回転軸として回動されることが可能である。
【００２４】
また、図３および図４に示すように、電池切片１２は、電池３０のプラス端子３０ａ（図８参照）よりも大きく、かつ、マイナス端子３０ｂ（図８参照）よりも小さい大きさの開口部１２ａと、電池３１のプラス端子３１ａ（図８参照）と当接する接点１２ｂと、アーム部１２ｃと、アーム部１２ｃの側部に取り付けられたＬ字形状のフック部１２ｄと、ストッパ部１２ｅと、電池蓋１０に取り付けられる取付部１２ｆとを一体的に含んでいる。また、図１０に示すように、電池切片１２の開口部１２ａの周囲部１２ｇ、接点１２ｂ、アーム部１２ｃおよびストッパ部１２ｅは、電池蓋１０から離間する方向に付勢するように形成されている。
【００２５】
また、図８に示すように、開口部１２ａの周囲部１２ｇは、電池蓋１０が閉じられた際に、電池３０のマイナス端子３０ｂにより付勢方向（矢印Ｃ方向）に抗して押圧されて、矢印Ｄ方向に撓むように構成されている。これにより、不勢力を利用して周囲部１２ｇを電池３０のマイナス端子３０ｂに確実に当接させることが可能である。また、開口部１２ａの内側には、電池蓋１０に一体的に形成された台座１０ｂが配置されている。また、台座１０ｂは、電池蓋１０から離間する方向に形成されている周囲部１２ｇの高さよりも低くなるように形成されるとともに、電池３０のプラス端子３０ａが当接した場合は、周囲部１２ｇが電池３０に当接しないように構成されている。これにより、図９に示すように、電池３０が、プラス端子３０ａが台座１０ｂに当接される方向に誤挿入された場合には、周囲部１２ｇに当接されないので、電池３０を電池切片１２に電気的に接続されないようにすることが可能である。なお、台座１０ｂは、本発明の「第２誤挿入防止部」の一例である。
【００２６】
また、図８に示すように、電池切片１２の接点１２ｂは、電池蓋１０が閉じられる際に、電池３１のプラス端子３１ａにより付勢方向（矢印Ｃ方向）に抗して押圧されて、矢印Ｄ方向に撓むように構成されている。これにより、不勢力を利用して接点１２ｂを電池３１のプラス端子３１ａに確実に当接させることが可能である。
【００２７】
また、図３および図４に示すように、電池切片１２の接点１２ｂの側部には、電池蓋１０に一体的に形成されたリブ１０ｃが配置されている。また、図７に示すように、リブ１０ｃは、電池蓋１０から離間する方向に形成されている接点１２ｂの高さよりも高くなるように形成されている。これにより、図９に示すように、電池３１が、マイナス端子３１ｂがリブ１０ｃに当接される方向に誤挿入された場合には、接点１２ｂに当接されないので、電池３１を電池切片１２に電気的に接続されないようにすることが可能である。なお、リブ１０ｃは、本発明の「第１誤挿入防止部」の一例である。
【００２８】
また、図７に示すように、電池切片１２のアーム部１２ｃは、電池３０が電池収納部９に挿入されていない場合には、軸部１３に当接するように構成されている。これにより、電池蓋１０から離間する方向に付勢するように形成せれているアーム部１２ｃが、電池蓋１０から離間し過ぎないように規制することが可能である。
【００２９】
また、図８に示すように、電池蓋１０が閉じられる際に、開口部１２ａの周囲部１２ｇが電池３０によって付勢方向（矢印Ｃ方向）に抗して押圧されて、矢印Ｄ方向に変形されることに伴って、Ｌ字形状のフック部１２ｄは、矢印Ｄ方向に移動されて軸部１３に当接されるように構成されている。
【００３０】
また、図１０に示すように、電池切片１２のストッパ部１２ｅは、端部が円弧形状に形成されている。また、図１１に示すように、ストッパ部１２ｅは、電池蓋１０が閉じられる際に、矢印Ａ方向にスライドされることによって、装置本体に設けられたボス部１９に当接されて、端部の円弧形状に沿って矢印Ｄ方向に押し下げられるように変形し、ボス部１９の矢印Ｂ方向側から矢印Ａ方向側に移動されて係合されるように構成されている。これにより、ストッパ部１２ｅは、矢印Ｂ方向への移動を規制されるので、電池蓋１０が不用意に矢印Ｂ方向にスライドされて開いてしまうのを防止することが可能である。
【００３１】
また、図１２に示すように、電池切片１２は、取付部１２ｆに設けられた孔部１２ｈに挿入されたビス４０によって、電池蓋１０に一体的に形成された留め座１０ｄに締め付けられている。また、電池切片１２の取付部１２ｆの反対側（矢印Ｅ方向側）の端部は、電池蓋１０に一体的に形成されたL字形状の留め部１０ｅによって、電池蓋１０から離間する方向に移動するのを規制されている。したがって、電池切片１２は、アーム部１２ｃが軸部１３に当接されていること、取付部１２ｆがビス４０によって電池蓋１０の留め座１０ｄに締め付けられていること、および、留め部１０ｅによって電池蓋１０から離間する方向に移動するのを規制されていることによって、確実に電池蓋１０に取り付けられている。
【００３２】
また、図３に示すように、軸部１３は、その両端を軸受部１４に支持されて固定されている。これにより、軸部１３と軸受部１４とを確実に接続することができるので、確実に電気的に接続させることが可能である。
【００３３】
また、図３に示すように、軸受部１４は、コの字形状に形成され、その内側の側面で軸部１３を支持している。また、図３および図４に示すように、軸受部１４は、一体的に形成された接合部１４ａを有し、接合部１４ａに設けられた孔部に挿入されたビス４１によってＰＣＢ１８に取り付けられている。また、接合部１４ａとＰＣＢ１８に設置されているＡ／Ｄコンバータ１５とは電気的に接続されている。
【００３４】
また、Ａ／Ｄコンバータ１５は、電池切片１２から、軸部１３および軸受部１４を介して検出される電位をアナログ値からデジタル値に変換するように構成されている。
【００３５】
また、制御部１６は、Ａ／Ｄコンバータ１５によってデジタル化された電位を電位計測部１７で計測するように制御するように構成されている。したがって、電位計測部１７は、実質的に軸受部１４を介して軸部１３に電気的に接続されるように構成されている。
【００３６】
また、図８に示すように、電池３０が、電池収納部９にプラス端子３０ａが奥側（矢印Ｃ方向側）に配置される方向（電池３０の正常な挿入方向）に挿入された場合に、電池収納部９の奥側に設置されている接点２０は、電池３０のプラス端子３０ａに当接するように構成されている。また、接点２０は、ＰＣＢ１８のＡ／Ｄコンバータ１５に電気的に接続されている。また、電池３１が、電池収納部９にマイナス端子３１ｂが奥側に配置される方向（電池３１の正常な挿入方向）に挿入された場合に、電池収納部９の奥側に設置されている接点２１は、電池３１のマイナス端子３１ｂに当接するように構成されている。また、接点２１は、グラウンド接続としてシャーシ１１に電気的に接続されている。
【００３７】
図１３は、図１に示した本発明の一実施形態によるビデオカメラのブロック図である。次に、図８および図１３を参照して、ビデオカメラ１の電池収納部９に電池３０および電池３１がそれぞれ正常に挿入されて電池蓋１０が閉じられている際に、それぞれの電池の電圧を検出する動作について説明する。
【００３８】
まず、電池３０のプラス端子３０ａに当接する接点２０とＰＣＢ１８に設置されているＡ／Ｄコンバータ１５との間の部分（図８および図１３に示すノードａ）の電位は、Ａ／Ｄコンバータ１５によってアナログ値からデジタル値に変換されて、電位計測部１７によって計測される。また、軸受部１４とＰＣＢ１８に設置されているＡ／Ｄコンバータ１５との間の部分（図８および図１３に示すノードｂ）の電位は、ノードａの電位と同様に、Ａ／Ｄコンバータ１５によってアナログ値からデジタル値に変換されて、電位計測部１７によって計測される。これにより、電池３０と電池３１との間の中間電位を計測することが可能である。また、電池３１のマイナス端子３１ｂに当接する接点２１とシャーシ１１との間の部分（図８および図１３に示すノードｃ）の電位は、接点２１とシャーシ１１とがグラウンド接続として接続されていることにより、実質的にゼロと考えられる。これにより、電池３０と電池３１との電圧が検出される。具体的には、ノードａの電位とノードｂの電位との差が、電池３０の電圧として検出され、ノードｂの電位とノードｃの電位との差が、電池３１の電圧として検出される。すなわち、それぞれの電池の残量を検出することが可能であるとともに、正常な状態における電圧値と比較することによって、電池が誤挿入されているなどの不具合をチェックすることが可能である。
【００３９】
次に、図１０および図１１を参照して、ビデオカメラ１の電池蓋１０を閉じる動作について説明する。
【００４０】
まず、図１０に示すように、電池蓋１０が装置本体の矢印Ｂ方向側に飛び出した状態から、電池蓋１０が矢印Ａ方向にスライドされることによって、電池蓋１０から離間する方向に付勢するように形成されたストッパ部１２ｅの円弧形状の端部が、装置本体のボス部１９に当接され、端部の円弧形状に沿って矢印Ｄ方向に押し下げられる。そして、図１１に示すように、円弧形状の端部がボス部１９の下側を通って、ボス部１９の矢印Ｂ方向側から矢印Ａ方向側に移動されて係合される。また、これと並行して、開口部１２ａの周囲部１２ｇが電池３０によって付勢方向（矢印Ｃ方向）に抗して押圧されて、矢印Ｄ方向に変形される。これに伴って、Ｌ字形状のフック部１２ｄが、矢印Ｄ方向に移動されて軸部１３に当接される。
【００４１】
本実施形態では、上記のように、電池蓋１０に、電池３０または電池３１の少なくとも一方の誤挿入を防止するように配置された台座１０ｂまたはリブ１０ｃを設けることによって、電池収納部９に誤った方向に電池が誤挿入されるのを防止することができる。また、電池３０と電池３１とを接続する電池切片１２を、電池蓋１０を閉じた際に、軸部１３に当接されるように構成し、電位計測部１７を、軸部１３に電気的に接続することによって、電池蓋１０を閉じた際に、電池切片１２と電位計測部１７とを軸部１３を介して電気的に接続することができるので、電池３０および電池３１の間の電位（中間電位）を計測することができ、その結果、電池３０および電池３１それぞれの電圧を検出することができる。すなわち、このビデオカメラ１では、電池収納部９に誤った方向に電池が誤挿入されるのを防止するとともに、電池３０および電池３１それぞれの電圧を検出することによって、電池の誤挿入をチェックすることができるので、電池の誤挿入による不具合の発生を確実に抑制することができる。
【００４２】
また、本実施形態では、軸部１３の両端を支持する金属性の軸受部１４をさらに設け、電位計測部１７を、軸受部１４を介して軸部１３に電気的に接続することによって、軸部１３は、両端の２点を軸受部１４に電気的に接続されるので、電池蓋１０を閉じた際に、軸部１３と軸受部１４とを介して、確実に電池切片１２と電位計測部１７とを電気的に接続することができる。
【００４３】
また、本実施形態では、電池切片１２を、Ｌ字形状のフック部１２ｄを一体的に含むとともに、電池蓋１０を閉じた際に、フック部１２ｄが軸部１３に当接されるように構成することによって、フック部１２ｄをＬ字形状によって確実に軸部１３に当接することができるので、電池蓋１０を閉じた際に、軸部１３を介して、より確実に電池切片１２と電位計測部１７とを電気的に接続することができる。
【００４４】
また、本実施形態では、電池切片１２を、電池蓋１０から離間する方向に付勢するように形成するとともに、電池３０により付勢方向に抗して押圧されることにより軸部１３に当接されるように構成することによって、不勢力を利用して、確実に電池切片１２を電池３０に当接させることができるとともに、その押圧力によって確実に電池切片１２を軸部１３に当接させることができる。
【００４５】
なお、今回開示された実施形態は、すべての点で例示であって制限的なものではないと考えられるべきである。本発明の範囲は、上記した実施形態の説明ではなく特許請求の範囲によって示され、さらに特許請求の範囲と均等の意味および範囲内でのすべての変更が含まれる。
【００４６】
たとえば、上記実施形態では、電子機器の一例としてビデオカメラを示したが、本発明はこれに限らず、複数の電池を接続する電池切片を備えた電子機器であれば、他の電子機器にも適用可能である。
【００４７】
また、上記実施形態では、第１誤挿入防止部材の一例としてリブを示したが、本発明はこれに限らず、プラス端子のみが電池切片に当接されるように構成された誤挿入防止部材であれば、他の誤挿入防止部材を用いてもよい。
【００４８】
また、上記実施形態では、第２誤挿入防止部材の一例として台座を示したが、本発明はこれに限らず、マイナス端子のみが電池切片に当接されるように構成された誤挿入防止部材であれば、他の誤挿入防止部材を用いてもよい。
【００４９】
また、上記実施形態では、電子機器の一例としてのビデオカメラが、充電機能を有さない構成の例を示したが、本発明はこれに限らず、充電機能を有する電子機器に適用してもよい。この場合には、満充電検知および過充電防止などのための電圧を検出することも可能である。
【図面の簡単な説明】
【００５０】
【図１】本発明の一実施形態によるビデオカメラの全体構成を示す斜視図である。
【図２】本発明の一実施形態によるビデオカメラの全体構成を示す斜視図である。
【図３】図１に示した本発明の一実施形態によるビデオカメラの電池蓋周辺を示す斜視図である。
【図４】図１に示した本発明の一実施形態によるビデオカメラの電池蓋周辺を示す平面図である。
【図５】本発明の一実施形態によるビデオカメラの側面図である。
【図６】本発明の一実施形態によるビデオカメラの側面図である。
【図７】図４の１００−１００線に沿った断面図である。
【図８】図４の１００−１００線に沿った断面図において、電池を正常に挿入した場合を示した図である。
【図９】図４の１００−１００線に沿った断面図において、電池を反対に挿入（誤挿入）した場合を示した図である。
【図１０】図４の２００−２００線に沿った断面図である。
【図１１】図４の２００−２００線に沿った断面図において、電池蓋を閉じる動作を説明するための図である。
【図１２】図４の３００−３００線に沿った断面図である。
【図１３】図１に示した本発明の一実施形態によるビデオカメラのブロック図である。
【符号の説明】
【００５１】
１          ビデオカメラ（電子機器）
９          電池収納部
１０        電池蓋
１０ｂ      台座（第２誤挿入防止部）
１０ｃ      リブ（第１誤挿入防止部）
１２        電池切片
１２ａ      開口部
１２ｄ      フック部
１３        軸部
１４        軸受部
１７        電位計測部（電位計測手段）
３０        電池（第１の電池）
３０ａ      プラス端子
３０ｂ      マイナス端子
３１        電池（第２の電池）
【図１】
2008269966.tif 000003
【図２】
2008269966.tif 000004
【図３】
2008269966.tif 000005
【図４】
2008269966.tif 000006
【図５】
2008269966.tif 000007
【図６】
2008269966.tif 000008
【図７】
2008269966.tif 000009
【図８】
2008269966.tif 000010
【図９】
2008269966.tif 000011
【図１０】
2008269966.tif 000012
【図１１】
2008269966.tif 000013
【図１２】
2008269966.tif 000014
【図１３】
2008269966.tif 000015